(57)【要約】【課題】携帯電話機の使用者が、携帯電話機に応答すると危険であったり、他人の迷惑になる可能性のある場所にいる場合には、携帯電話機の使用者が外部からの着信を停止処理設定することができる携帯電話機を提供することを目的とする。【解決手段】外部からの着信に応じて着信報知手段８による着信報知を実行する制御部３を備えた携帯電話機であって、前記携帯電話機に物理的に加えられた状態を検知して比較データを取得する状態検知手段９と、前記状態検知手段９により取得された比較データと、予め定められた比較元データとの比較結果に応じて、前記着信報知手段を着信報知停止状態とする着信報知停止処理設定手段３３０と、を備える。【選択図】      図１
2006352624.tif 000002
【特許請求の範囲】
【請求項１】
外部からの着信に応じて着信報知手段による着信報知を実行する制御部を備えた携帯電話機であって、
前記携帯電話機に物理的に加えられた状態を検知して比較データを取得する状態検知手段と、
前記状態検知手段により取得された比較データと、予め定められた比較元データとの比較結果に応じて、前記着信報知手段を着信報知停止状態とする着信報知停止処理設定手段と、
を備えていることを特徴とする携帯電話機。
【請求項２】
請求項１に記載の携帯電話機であって、
前記着信報知手段を着信報知停止状態とした後、前記状態検知手段により取得された比較データが、予め定められた解除予定の比較元データとの比較結果に応じて、前記着信報知手段を着信報知状態とする着信報知停止処理解除手段と、
をさらに備えていることを特徴とする携帯電話機。
【請求項３】
請求項２に記載の携帯電話機であって、
前記予め定められた解除予定の比較元データが、前記予め定められた比較元データより小さいことを特徴とする携帯電話機。
【請求項４】
請求項１に記載の携帯電話機であって、
前記取得された比較データが、継続して予め定められた比較元データ以上となっている時間を測定する時間測定手段と、
をさらに備えていることを特徴とする携帯電話機。
【請求項５】
請求項２から４のいずれかに記載の携帯電話機であって、
前記取得された比較データが、継続して予め定められた解除予定の比較元データ未満となっている時間を測定する時間測定手段と、
をさらに備えていることを特徴とする携帯電話機。
【発明の詳細な説明】
【技術分野】
【０００１】
本発明は、携帯電話機に係り、より詳しくは自動車等を運転する運転者が安全に使用することができる携帯電話機に関する。
【背景技術】
【０００２】
最近、携帯電話機はその利便性が認められ、広く一般に普及するようになり、大多数の人が携帯するようになってきている。このため、自動車等を運転しながら使う人も見られるようになった。
【０００３】
ところが、携帯電話機で電話をしながら自動車を運転することは、電話に気をとられて注意力が散漫となる。さらに運転に対する集中力が減退しており大変危険である。この観点より、特許文献１に記載されるように、携帯電話機にはドライブモードが設けられている。ドライブモードは自動車走行中に電話がかかってきても、安全上運転者に電話をさせないように、電話がつながらないようにする運転中ガイダンス機能である。
【０００４】
このドライブモードが設定されると、電話をかけてきた相手に運転中のため電話に出られない旨のガイダンスが流れて、電話が切られる（非特許文献１）。
【０００５】
一方、運転者が携帯電話機を使いながら運転することによる事故が多いため、平成１６年より、運転手が自動車を運転しながら携帯電話をすることは道路交通法により禁止となった。
【０００６】
したがって、携帯電話を所有する運転手は自動車を運転する前にドライブモードを設定することが望ましい。しかし、自動車を運転する前は、一般に運転手は他のことに気をとられて、ドライブモードの設定を忘れがちである。ドライブモードの設定をしないで、運転中に電話がかかってきた場合は、運転手は電話の内容が気になってつい携帯電話機を使って通話をしてしまうことが多い。このことは、現在の携帯電話機が着信先の電話番号が表示されるように構成されていることや、予めアドレスとして登録している相手先については、その登録された相手先の名前まで文字として表示されてしまうこと、更には、表示されるディスプレィを運転中で見ないようにしても、着信メロディをその相手先ごとに設定できる機能を利用していた場合には、その相手先が着信音でわかってしまうといった機能が一般的な機能として備わっていることも要因となってきている。つまり、着信先から繰り返し電話がかかってきたときや、重要な人物からの着信であったときには、通常の人間の感性であれば、早く電話ができる場所に移動しようとする精神誘導につながったりして、電話に出ないことがかえって事故への精神的プレッシャーとして作用することも想定される。しかしながら、どのような状況にあろうとも、運転中に携帯電話機を使って通話することは道路交通法違反でもあるし、非常に危険である。
【０００７】
そのため、自動車を運転する場合は、運転者が意識しないでも携帯電話機をドライブモードに設定され、運転を止めたときは自動的に解除されることが望ましい。
【０００８】
この点について、携帯電話機について自動車の駐車状態から走行状態に、逆に走行状態から駐車状態に移行したときに、自動的にドライブモードの自動設定、解除できるようにする提案がなされている（特許文献２参照）。しかし、電源を自動車のバッテリーから取る方式のものが前提であり、自動車のエンジンの回転数等から走行状態か否かの情報をとる技術であり、現時点のように小型化した携帯電話機には適用が難しい。
【０００９】
また、ドライブモードが設定されても、振動などによる携帯電話機の使用者への報知や、携帯電話機の表示画面による着信表示は維持されたままである。これ等の報知が一部でも行われると、使用者がどこからの電話またはメールなのかが気になって、つい携帯電話機を使ってしまい、事故防止が難しいという問題があった。
【特許文献１】特開平１０−７０４９２号公報
【特許文献２】特開２００１−２２４０６７号公報
【非特許文献１】ＮＴＴドコモ  取扱説明書  ムーバＮ５０６ｉ
【発明の開示】
【発明が解決しようとする課題】
【００１０】
本発明は、以上のような問題を解決し、携帯電話機の使用者が、携帯電話機に応答すると危険となったり、他人に迷惑になる可能性のある場所にいる場合には、携帯電話機の使用者が外部からの着信を停止処理設定することができる携帯電話機を提供することを目的とする。
【課題を解決するための手段】
【００１１】
上記の課題を解決するため、発明者は、携帯電話機の使用者が自動車等を運転しない場合と、自動車等を運転する場合の携帯電話機に加わる物理的な状態が異なることに着目して、以下の発明をした。
物理的な状態が異なるとは、後に詳述するように、地面を走行する電車や車などの場合には、携帯電話機に対して人間が歩行するよりも物理的に大きい振動が長時間連続して発生するであろうことが推察されるし、また、その加速度も人間が走る際のものに比べて高い値となること、地面を走行しない飛行機の場合には、携帯電話機に物理的に作用する加速度や速度が人間の歩行などに比べてかけ離れた数値が生じるであろうことである。
【００１２】
すなわち、この発明では、（１）外部からの着信に応じて着信報知手段による着信報知を実行する制御部を備えた携帯電話機であって、前記携帯電話機に物理的に加えられた状態を検知して比較データを取得する状態検知手段と、前記状態検知手段により取得された比較データと、予め定められた比較元データとの比較結果に応じて、前記着信報知手段を着信報知停止状態とする着信報知停止処理設定手段と、を備えていることを特徴とする携帯電話機。
【００１３】
（１）に記載の発明を用いることにより以下の作用が期待できる。状態検知手段により、携帯電話機に物理的に加えられた状態を検知して比較データを取得する。取得された比較データと、予め定められた比較元データとの比較結果に応じて、着信報知停止処理設定手段により、前記着信報知手段を着信報知停止状態とする。
【００１４】
その結果、以下の効果が期待できる。状態検知手段が取得した比較データと予め記憶された比較元データとの比較結果に応じて着信報知停止状態となるから、携帯電話機の使用者は、外部からの着信があっても知るすべがなくなる。つまり、外部からの着信が何らかの形で携帯電話機の使用者に報知された場合、報知された使用者は電話された内容が気になってつい携帯電話機に応答してしまうといった環境は排除することができるのである。
【００１５】
着信報知停止処理設定手段により移行される着信報知停止状態とは、例えば、振動などによる携帯電話機の使用者への報知や、携帯電話機の表示画面による着信表示等の報知が一切行われないような状態のことを意味する。この着信報知停止状態場合には、着信した場合に着信していることが使用者に伝わっていないことが着信相手に伝わるようにして、その相手に失礼にならないような機能を設けることが好ましい。例えば、着信報知停止処理設定手段の一部を構成する記憶手段に対して、着信報知停止状態時に着信先の電話機への専用の応答メッセージデータを予め記憶させておき、着信すると同時に、着信相手に当該応答メッセージデータを送信するとともに、着信相手の用件を自動的に録音データとして記憶するように構成することが望ましい。
【００１６】
状態検知手段とは、携帯電話機に物理的に加えられた状態を検知して比較データを取得する手段である。例えば、振動，加速度，振動レベルなどを検知できる既知の様々なセンサの各々或いは、それらの組み合わせたものを状態検知手段として採用することができる。また、加速度センサと地磁気センサとから位置情報を算出し、当該位置情報と地図情報との比較によって、予め設定され記憶された位置（例えば、映画館や美術館など）を検出するセンサやＧＰＳ（Ｇｌｏｂａｌ  Ｐｏｓｉｔｉｏｎｉｎｇ  Ｓｙｓｔｅｍ）センサを採用することが可能である。
【００１７】
このような機能は、現在の携帯電話機には存在しないものであって、従来の場合には、使用者が自らその時々に電源を切った状態としなければ移行しないような着信報知停止状態の一態様に、例えば、携帯電話機のネットワークを構築するサービス提供企業が予め設定しておくこと、或いは、使用者が予め自らのマナーとしてどのような状態で着信報知停止状態に移行するのかを予め設定しておけば、マナーが悪い行為を行うことを予防できるとともに、法の遵守を履行し易くすることができるようになる。
例えば、気圧センサを状態検知手段として採用した場合には、飛行機に乗り込んで電源を切ることを忘れていても、着信停止状態としての電源を切ることを予め設定しておけば、電波による計器障害の虞を強制的に排除することができる。
また、前記加速度センサと地磁気センサの組み合わせやＧＰＳセンサを用いて、ピンポイントで位置検出する状態検知手段を採用することによって、特定の場所（美術館，音楽ホール，図書館，学校）でのマナーの悪さを強制的に排除することができる。
【００１８】
（２）（１）に記載の携帯電話機であって、前記着信報知手段を着信報知停止状態とした後、前記状態検知手段により取得された比較データが、予め定められた解除予定の比較元データとの比較結果に応じて、前記着信報知手段を着信報知状態とする着信報知停止処理解除手段と、をさらに備えていることを特徴とする携帯電話機。
【００１９】
（２）に記載の発明を用いることにより次のような作用が期待できる。
着信報知手段を着信報知停止状態とした後、記状態検知手段により取得された比較データが、予め定められた解除予定の比較元データとの比較結果に応じて、着信報知停止処理解除手段により着信報知停止処理設定を解除する。したがって、当該携帯電話機の使用者が外部からの着信を気にしなくても済むような設定をする着信報知停止処理を、例えば、運転する自動車が走行していないと検知された場合は着信報知状態に復帰する。
【００２０】
その結果、次のような効果を期待することができる。状態検知手段により検知され取得された比較データが予め定められた解除予定の比較元データ未満になっているので、例えば、運転する自動車が走行していない状態であるので、このような場合は自動的に着信報知停止処理が解除される。設定解除を使用者が手動で行うこととすると、使用者は設定解除を忘れがちである。このような場合にも、着信報知停止処理設定を続けていると、携帯電話機の使用者が応答できる場合も応答できなくなり、携帯電話機を持つメリットがなくなる。このような不都合を解消することができる。
【００２１】
（３）（２）に記載の携帯電話機であって、前記予め定められた解除予定の比較元データが、前記予め定められた比較元データより小さいことを特徴とする携帯電話機。
【００２２】
（３）に記載の発明を用いることにより以下の作用・効果が期待できる。予め定められた解除予定の比較元データが、予め定められた比較元データより小さいので、状態検知手段により検知されるデータが対象によって変動しやすい場合に、予想されるデータに対応した、予め定められた比較元データと解除予定の比較元データとを設定することによりシステム上安定した携帯電話機を提供することができる。
【００２３】
特に、自動車などでは走り始める場合と、安定走行する場合とでは発生する振動、加速度などが異なる。走り始めるときのデータにより、予め定められた比較元データを設定し、安定走行する場合のデータで、解除予定の比較元データを設定する。その結果、設定、解除が短時間で繰り返される等の異常状態の発生を防止することができる。
【００２４】
（４）（１）に記載の発明による携帯電話機であって、前記取得された比較データが継続して予め定められた比較元データ以上となっている時間を測定する時間測定手段と、をさらに備えていることを特徴とする。
【００２５】
（５）（２）から（４）のいずれかに記載の発明による携帯電話機であって、前記取得された比較データが継続して予め定められた解除予定の比較元データ未満となっている時間を測定する時間測定手段と、をさらに備えていることを特徴とする。
【００２６】
（４）または（５）に記載の発明は、時間測定手段をさらに備える。時間測定手段を備えることにより、状態検知手段により検知され取得された比較データが予め定められた比較元データ以上になっている時間が予め定められた所定の時間以上になっているか、予め定められた解除予定の比較元データ未満になっている時間が、予め定められた所定の時間以上になっているかで、着信報知停止処理の設定、または解除が行われる。
【００２７】
従って、所定の時間を予め適切に選定することにより、携帯電話機の着信報知停止処理の設定または解除があまりに早く設定されたり、または遅すぎたりすることを防ぐことが出来る。
【００２８】
なお、（４）に記載の発明と（５）に記載の発明の双方の発明を一つの携帯電話機で適用する場合は時間測定手段を共通とすることができる。
【発明の効果】
【００２９】
以上説明したように、携帯電話機の使用者が、携帯電話機に応答すると危険となったり、他人に迷惑になる可能性のある場所にいる場合には、携帯電話機の使用者が、外部からの着信を気にしなくても済むような着信報知停止処理を設定することができる携帯電話機を提供することができる。また、このような応答すると危険となったり、他人に迷惑になる可能性のある場所に位置しなくなった場合は自動的に設定を解除する。その結果、例えば、携帯電話機を持つ運転手も外部からの着信を該運転手が気にしなくても済むようになり交通事故の危険を減ずることができる。
【発明を実施するための最良の形態】
【００３０】
以下、本発明を実施するための最良の形態について図を参照しながら説明する。なお、これはあくまでも一例であって、本発明の技術的範囲はこれに限られるものではない。
【００３１】
［第１の実施例］
図１は、本発明に係る携帯電話機の概略構成を示すブロック図である。携帯電話機１２にはアンテナ１が設けられ、アンテナ１は携帯電話機と基地局との送受信を行う。アンテナ１には無線部２が接続され、無線部２はアンテナ１からの受信信号を復調処理し、アンテナ１への送信信号を変調処理する。
【００３２】
無線部２には制御部３が接続され、制御部３は、無線部２の復調、変調処理の制御を行うと共に、後述する本発明に関連する各種手段が含まれる。
【００３３】
制御部３には、表示部４が接続され、表示部４は電話番号、着信等を表示し、制御部３は表示部４の制御を行う。さらに、制御部３には入力部５が接続され、入力部５は電話番号等の入力、ドライブモード等の着信報知停止処理を行うキー等を有し、制御部３は入力部５の入力情報に基づいて制御を行う。
【００３４】
さらに、制御部３にはスピーカ６が接続され、スピーカ６は電話の相手の声を出力し、制御部３はスピーカ６の音声再生を制御する。さらに、制御部３には、マイクロフォン７が接続され、マイクロフォン７はユーザの声を入力し、制御部３はマイクロフォン７の入力音声信号を制御する。
【００３５】
制御部３には、携帯電話機１２が着信したときに着信したことを携帯電話機の使用者に報知する着信報知手段８が接続されている。着信報知手段８は、音声による報知、振動による報知、画面による表示などにより実現することができる。制御部３は、着信した場合のこれ等の動作を制御する。この着信報知手段８は、半導体メモリなどの記憶手段を含んでおり、この記憶手段に予め記憶された着信メロディデータや振動パターンデータ、或いは、着信画像データなどのデジタルデータが夫々複数パターンのものが記憶されており、これらが入力部５による使用者の設定によって、制御部３の制御によって適宜に変更可能に構成されている。
【００３６】
また、制御部３には、携帯電話機１２に物理的に加えられた状態を検知して比較データを取得する状態検知手段９が接続され、状態検知手段９により検知され取得された比較データが比較元データ以上になっている時間を測定する時間測定手段３１０と、時間測定手段３１０により測定された時間が所定の時間を越えた場合に電話がかかってきても、着信報知手段８を着信報知停止状態とする着信報知停止処理設定手段３３０と、着信報知停止処理を設定した後、前記状態検知手段９により検知され取得された比較データが予め設定した解除予定の比較元データ未満になっている時間を測定する時間測定手段３１０と、前記時間測定手段３１０により測定された時間が解除予定の所定の時間を越えた場合に、前記着信報知停止処理を解除する着信報知復帰手段３４０と、を有する。なお、制御部３には、半導体メモリなどの記憶手段を具備しており、前記比較元データが予め設定されて記憶されているとともに、同記憶手段には、前記時間計測手段３１０が前記比較元データ以上か未満かを比較処理するための比較プログラムが記憶され、時間測定手段３１０により測定された時間が所定の時間を越えた場合に、着信しても着信報知手段８を着信報知停止状態とする着信報知停止処理設定手段３３０として機能する着信報知停止状態プログラム及び、着信報知停止状態に移行させる着信報知停止状態移行プログラムが記憶され、更には、前記時間測定手段３１０により測定された時間が解除予定の所定の時間を越えた場合に、前記着信報知停止解除処理を実行する機能を具備した着信報知復帰手段３４０としての着信報知状態復帰制御プログラムを記憶している。
【００３７】
状態検知手段９は、愛知製鋼とボーダフォン社により開発された、ジー・スクエアモーションセンサーＡ５０１（商標名）を使って実現することができる。ジー・スクエアモーションセンサーＡ５０１は磁気センサと加速度センサからなる複合センサであり、地球座標軸を基準に姿勢バランスや加速度を検出することができる。
【００３８】
なお、状態検知手段９は、携帯電話機１２に物理的に加えられた状態を検知し、比較データを取得することができる手段であれば、様々なセンサを採用することができる。例えば、乗り物に乗っている時に発生する振動や加速度、或いは、振幅レベルなどを測定可能な振動センサや加速度センサを採用することができる。
【００３９】
また、状態検知手段９には加速度センサと地磁気センサとから位置情報を算出し、当該位置情報と地図情報との比較によって、予め設定され記憶された位置に使用者が存在する場合には状態検知されたとしても良い。また、気圧の変化を検知する気圧センサであっても良い。
【００４０】
次に、以上のような構成の携帯電話機１２における、本発明に関連する動作について、図２に基づいて説明する。まず、状態検知手段９により検知され取得され（Ｓ１０５）、取得された比較データが比較元データ以上になっているか否かが判断される（Ｓ１１０）。比較元データ以上の場合は、時間測定手段３１０により測定された時間が所定の時間を越えたか否かが判定される（Ｓ１２０）。判定の結果、所定の時間を越えている場合は、着信報知停止処理設定手段３３０により携帯電話機１２の使用者が外部からの着信を気にしなくても済むような着信報知停止処理を設定する（Ｓ１４０）。
【００４１】
状態検知手段９により検知され取得された比較データが比較元データ以上になっていない場合（Ｓ１１０）、または、時間測定手段３１０により測定された時間が所定の時間を越えていない場合（Ｓ１２０）は同一の状態が保持される（Ｓ１３０）。
【００４２】
着信報知停止処理を設定した後、前記状態検知手段９により検知され取得された比較データが比較元データ未満になっている場合は（Ｓ１５０）は、時間測定手段３１０により測定された時間が解除予定の所定の時間を越えているか否か判断される（Ｓ１６０）。解除予定の所定の時間を越えている場合は、着信報知復帰手段３４０により着信報知停止処理を解除する（Ｓ１７０）。
【００４３】
着信報知停止処理設定がなされた後も（Ｓ１４０）、状態検知手段９により状態が検知され比較データが取得される（Ｓ１４５）。前記状態検知手段９により検知され取得された比較データが解除予定の比較元データ未満になっていない場合（Ｓ１５０）、または時間測定手段３１０により測定された時間が解除予定の所定の時間を越えていない場合は（Ｓ１６０）、着信報知停止処理の設定の状態が保持される。
【００４４】
以上のようにして、着信報知停止処理が設定されるので、携帯電話機１２の使用者は、外部からの着信を気にしなくても済む。つまり、外部からの着信が何らかの形で携帯電話機１２の使用者に報知された場合、報知された使用者は電話された内容が気になってつい携帯電話機に応答してしまう。その結果、危険となったり、他人に迷惑になる可能性があるが、外部からの着信を気にしなくても済むよう自動的に着信報知停止処理設定手段３３０が設定されるので、当該使用者は、このような危険な状態を回避することができる。
【００４５】
取得された比較データが比較元データ未満になっているか場合で、時間測定手段３１０により測定された時間が解除予定の所定の時間を越えている場合は（Ｓ１６０）、例えば、運転する自動車が走行していない状況である。このような場合は自動的に着信報知停止処理手段３４０により着信報知停止処理が解除される（Ｓ１７０）。解除は使用者が手動で行うように設計されているとすると、使用者は解除を忘れがちである。このような場合にも、着信報知停止処理の状態を保持し続けていると、携帯電話機１２の使用者が応答できる場合も応答できなくなり、携帯電話機１２を持つメリットがなくなる。このような不都合を本実施例により解消することができる。
【００４６】
［第２の実施例］
第２の実施例は、予め定められた解除予定の比較元データが、前記予め定められた比較元データより小さいことを特徴とする携帯電話機である。
【００４７】
実施例は以下の作用・効果が期待できる。予め定められた解除予定の比較元データが、予め定められた比較元データより小さいので、状態検知手段９により検知されるデータが対象によって変動しやすい場合に、予想されるデータに対応した、予め定められた比較元データと解除予定の比較元データとを設定することによりシステム上安定した携帯電話機を提供することができる。
【００４８】
特に、自動車などでは走り始める場合と、安定走行する場合とでは発生する振動、加速度などが異なる。走り始めるときのデータにより、予め定められた比較元データを設定し、安定走行する場合のデータで、解除予定の比較元データを設定する。その結果、設定、解除が短時間で繰り返される等の異常状態の発生を防止することができる。
【００４９】
［第３の実施例］
図３は、状態検知手段９を加速度または振動を用いて検知する様子を示した図である。図３に示すように本発明の携帯電話機１２を持った運転手が歩いている場合は、重力と同じ方向の加速度が大きく重力の方向に対して水平方向の加速度成分は小さい。これに対して、運転手が携帯電話を持って自動車に乗って運転する場合は、重力と同じ方向の加速度が小さく重力の方向に対して水平方向の加速度成分が大きくなる。
【００５０】
この違いを検知することにより、当該自動車が走行しているか否かを検出することができる。とくに、道路がよい場合には上下の振動は小さくなるが、自動車の発進、停止の場合の重力の方向に対して水平方向の加速度成分はあまり道路の状態に影響されないというメリットがある。携帯電話機１２に加わる加速度または振動は、重力が働く方向と同一の方向が大きく、水平方向の成分は小さい。
【００５１】
その運転手が自動車に乗って運転を開始すると、自動車は加速するため、水平方向の加速度が大きくなり、重力方向の加速度または振動は歩いている場合に比して小さくなる。
したがって、水平方向の加速度または振動を検知することにより、自動車の走行状態を検知することができる。
【００５２】
この加速度または振動は前述の磁気センサと加速度センサからなる複合センサを用いることが望ましい。地球座標軸を基準に姿勢バランスや加速度を検出することができる。
【００５３】
本実施例により、自動車の走行を重力の方向に対して水平方向の振動成分により検出することができる。運転手が携帯電話を持って歩いているときは重力と同じ方向の振動が大きく重力の方向に対して水平方向の振動成分は小さい。これに対して、運転手が携帯電話を持って自動車に乗って運転する場合は、重力と同じ方向の振動が小さく重力の方向に対して水平方向の振動成分が大きくなる。この違いを検知することにより、当該自動車が走行しているか否かを検出することができる。したがって振動の少ない高級車や、道路状態が良いときにでも走行状態を検出できる利点がある。
【００５４】
［第４の実施例］
図４は、状態検知手段９が、振動センサである場合の実施例の概略を示すフローチャート図である。この実施例は電車などの乗り物に乗った場合に、電車の運行時にレールの継ぎ目から一定の周期の振動が発生する。この継ぎ目による振動を検知する。したがって振動の振幅が比較データとして取得される（Ｓ２０５）。取得された比較データが比較元データ以上であることを検知する（Ｓ２１０）。当該検知がされると、所定の回数以上であるか否かが判定される（Ｓ２２０）。所定の回数、例えば１分間に２０回以上であった場合は着信報知停止処理設定が行われる（Ｓ２４０）。所定の回数以下であれば状態が保持される（Ｓ２３０）。
【００５５】
本実施例は、電車に乗った場合に、大勢の顧客がいる中で話をすることが、他人に迷惑になる可能性のある場所にいることに相当する。このような場合に着信を気にしなくても済むよう自動的に設定されるので他人に迷惑をかけないですむ。
【００５６】
着信報知停止処理を設定した後の処理は、図２で説明した内容と同等であるので省略する。また、設定解除は手動で行っても良い。
【００５７】
以上、本発明の実施形態を用いて説明したが、本発明の技術的範囲は上記実施形態に記載の範囲には限定されない。また、上記実施形態に、多様な変更または改良を加えることができる。そのような変更または改良を加えた形態も本発明の技術的範囲に含まれ得ることが、特許請求の範囲の記載から明らかである。例えば、状態検知手段は加速度と振動等で説明したが、ＧＰＳを使うこともできる。
【図面の簡単な説明】
【００５８】
【図１】本発明に係る携帯電話機の概略の構成を示すブロック図である。
【図２】本発明に係る携帯電話機の関連する動作について概略の説明するフローチャート図である。
【図３】状態検知手段を加速度または振動を用いて検知する様子を示した図である。
【図４】状態検知手段が、振動センサである場合の実施例の概略を示すフローチャート図である。
【符号の説明】
【００５９】
１      アンテナ
２      無線部
３      制御部
４      表示部
５      入力部
６      スピーカ
７      マイクロフォン
８      着信報知手段
９      状態検知手段
１２    携帯電話機
３１０  時間測定手段
３３０  着信報知停止処理設定手段
３４０  着信報知停止処理解除手段
【図１】
2006352624.tif 000003
【図２】
2006352624.tif 000004
【図３】
2006352624.tif 000005
【図４】
2006352624.tif 000006